(57)【要約】【課題】  光源から発せられる光を従来よりも安価な方法で発光面へと導く構成とすること、効率良く安価に発光面へと導ける照明装置とすること、また、見栄えの良い照明装置、照明装置を備えたベッド装置を提供することを課題とする。【解決手段】  光を発する光源５から発せられる光を入射して発光面２２へと導く導光部材２と、導光部材２の少なくとも一面を覆い発光面側へと内部反射させる反射部材３と、光源５が内部に設けられ導光部材２と光源５との位置関係を保持する保持部材４とを備える照明装置１であって、導光部材２には光源５からの光軸Ｘに対し交互の位置に、内部で光を拡散させる複数の拡散孔６を備えている構成とした。【選択図】  図１
2014053253.tif 000002
【特許請求の範囲】
【請求項１】
光を発する光源と、
該光源から発せられる光を入射して、発光面へと導く導光部材と、
該導光部材の少なくとも一面を覆い、前記発光面側へと内部反射させる反射部材と、
前記光源が内部に設けられ、前記導光部材と前記光源との位置関係を保持する保持部材とを備えた照明装置において、
前記導光部材に形成され、前記導光部材を通過する前記光源の光軸に対し交互の位置に、前記導光部材の内部で光を拡散させる複数の拡散孔を設けたことを特徴とする照明装置。
【請求項２】
前記拡散孔は、前記光軸に対して等距離の位置に形成されている請求項１に記載の照明装置。
【請求項３】
前記拡散孔は、前記光軸方向において等間隔に形成されている請求項１または請求項２に記載の照明装置。
【請求項４】
前記拡散孔は、前記光軸方向において前記光源から遠ざかるに従い、孔間隔が疎から密となっている請求項１または請求項２に記載の照明装置。
【請求項５】
前記光源は、ＬＥＤ光源を用いる請求項１乃至請求項４のいずれか一項に記載の照明装置。
【請求項６】
使用者が横たわって就寝するマットレスと、
マットレスを載置するベッド本体と、
前記ベッド本体の一部に設けられ、
光を発する光源と、
該光源から発せられる光を一端から入射して発光面へと導く導光部材と、
該導光部材の少なくとも一面を覆い、内部反射させる反射部材と、
前記光源が内部に設けられ、前記導光部材と前記光源との位置関係を保持する保持部材とを有する照明装置を備えたベッド装置において、
前記導光部材に形成され、前記導光部材を通過する前記光源の光軸に対し交互の位置に、前記導光部材の内部で光を拡散させる複数の拡散孔を設けたことを特徴とする照明装置を備えたベッド装置。
【請求項７】
前記拡散孔が設けられた前記導光部材は、前記ベッド本体を構成するヘッドボードまたはベースボードに設けられる請求項６に記載の照明装置を備えたベッド装置。
【発明の詳細な説明】
【技術分野】
【０００１】
本発明は、照明装置および照明装置を備えたベッド装置に関するものであり、特に、導光部材の端部より光を入射させるようにしたエッジライト方式の照明装置および照明装置を備えたベッド装置に係る。
【背景技術】
【０００２】
近年では、蛍光灯よりも消費電力が低く、発光効率が良いＬＥＤが注目されている。このようなＬＥＤを用いた照明装置としては、一端面に光の入射面を有する導光板と、光源となるＬＥＤが実装されＬＥＤの発光面の面方向と入射面の面方向とが直交するように内部にＬＥＤが配設される筐体とを備え、筐体内部に設けられたＬＥＤの光を導光板の入射面に対して入射させるように円弧状の反射板を設け、ＬＥＤから発せられた光を円弧状の反射板で反射させ、導光板の入射面に入射させて光を所定の発光面へと導く片面発光型のＬＥＤ照明器具が知られている（特許文献１）。
【０００３】
特許文献１に示される照明器具では、矩形状を呈する導光板が用いられ、上眼のみ発光面を有する片面発光型のものを使用している。導光板の下面には導光板内に伝わる光を発光面より外方へ出射させるＶ字状の溝が設けられ、このＶ字状の溝から下方に出射された光を上方の発光面へと反射する反射シートが導光板の下面に設けられている。このＶ字状の溝は、導光板の発光面の出射される光の均一化が成されるように、導光板の入射面から離れるほどＶ字溝の溝間の間隔（ピッチ）が狭くなるよう構成される。
【０００４】
例えば、上記したような照明装置は一例としてベッド装置等に適用される。ベッド装置においては、マットレス上で体を休めたり、就寝時に横たわる使用者が就寝前にベッド上で読書をしたり、夜間にベッドから離れる際、暗い寝室で使用者の足元をスポット的に照らす足元照明がヘッドボードに一体で設けられるベッド装置が知られている（特許文献２）。
【先行技術文献】
【特許文献】
【０００５】
【特許文献１】特開２００７−８０５３１号公報（図１）
【特許文献２】特開２００２−３６９７２９号公報（図１）
【発明の概要】
【発明が解決しようとする課題】
【０００６】
しかしながら、特許文献１のように矩形状の導光板にＶ字状の溝を光を発光面へと導く導光部材となる導光板に形成する場合、例えばプロッターを用いてＶ字状の溝を削ったり、高価なレーザー加工装置を用いてレーザー加工により溝を加工する必要があり、設備コスト面からこのような方法ではコストアップにつながってしまう。
【０００７】
また、ＬＥＤから発せられる光を入射面から離れた位置まで導光板の内部で光を反射および拡散させながら効率良く導き、入射面から離れていても発光面を均一に発光させる安価な対策が必要である。
【０００８】
照明装置をベッド装置に取り付ける場合、発光面から効率良く光が発光し、見栄えを良くすることが必要となってくる。
【０００９】
そこで、本発明はこの様な問題点に鑑みて成されたものであり、光源から発せられる光を従来よりも安価な方法で発光面へと導く構成とすること、効率良く安価に発光面へと導ける照明装置とすること、また、見栄えの良い照明装置、照明装置を備えたベッド装置を提供することを課題とする。
【課題を解決するための手段】
【００１０】
上記した課題を解決するために講じた手段は、
光を発する光源と、該光源から発せられる光を入射して、発光面へと導く導光部材と、該導光部材の少なくとも一面を覆い、前記発光面側へと内部反射させる反射部材と、前記光源が内部に設けられ、前記導光部材と前記光源との位置関係を保持する保持部材とを備えた照明装置において、
前記導光部材に形成され、前記導光部材を通過する前記光源の光軸に対し交互の位置に、前記導光部材の内部で光を拡散させる複数の拡散孔を設けた構成としたことである。
【００１１】
上記構成において、前記拡散孔は、前記光軸に対して等距離の位置に形成されていると良い。
【００１２】
前記拡散孔は、前記光軸方向において等間隔に形成されていると良い。
【００１３】
また、前記拡散孔は、前記光軸方向において前記光源から遠ざかるに従い、孔間隔が疎から密となっていると良い。
【００１４】
更に、前記光源は、ＬＥＤ光源を用いると良い。
【００１５】
また、上記した課題を解決するために講じた別の手段は、使用者が横たわって就寝するマットレスと、マットレスを載置するベッド本体と、前記ベッド本体の一部に設けられ、
光を発する光源と、該光源から発せられる光を一端から入射して発光面へと導く導光部材と、該導光部材の少なくとも一面を覆い、内部反射させる反射部材と、前記光源が内部に設けられ、前記導光部材と前記光源との位置関係を保持する保持部材とを有する照明装置を備えたベッド装置において、
前記導光部材に形成され、前記導光部材を通過する前記光源の光軸に対し交互の位置に、前記導光部材の内部で光を拡散させる複数の拡散孔を設けた構成としたことである。
【００１６】
上記構成において、前記拡散孔が設けられた前記導光部材は、前記ベッド本体を構成するヘッドボードまたはベースボードに設けられる構成とすると良い。
【発明の効果】
【００１７】
本発明によれば、光源から発せれた光は導光部材に入射する。そして、導光部材の内部で光軸から広がりをもった入射光は導光部材の少なくとも一面に設けられた反射部材により反射して発光面へと返される。これと同時に、導光部材を通過する広がりの少ない入射光は、光源の光軸に対して交互に設けられた複数の拡散孔を通過することによって屈折が拡散孔の境界（例えば、周面）にて行われ、光路が変化して拡散が複数の拡散孔が形成された導光部材の内部で繰り返されて発生する。その結果、反射および拡散が繰り返されて導光部材の発光面より拡散光は放射される。
【００１８】
この場合、導光部材には複数の拡散光が拡散孔によって形成されるが、拡散光は従来の溝加工のように、高価なプロッターやレーザー装置といった大型設備等は必要ない。拡散孔の形成には、導光部材の例えば一面からドリル等を用いて孔加工を施せば良いため、従来に比べコストアップすることはない。しかも、孔開けという安価な方法により可能である。
【００１９】
このように形成された拡散孔は、光源の光軸に対して等距離（光軸の垂直方向で、それぞれの拡散孔と光軸までの最短距離が等距離）の位置に形成したり、光軸方向において等間隔に形成されていると、光軸に対して複数の拡散孔の中心をそれぞれどのような位置に設けるかにより、効率良く発光面からの明るさを調整することができる。この場合、孔径に対する孔間隔を相関をもって変更することもできる。
【００２０】
一般的には、光源から遠ざかるにつれて光の強度は減衰して弱くなるが、導光部材の中で複数の拡散孔によって拡散光が弱くなってしまうが、本発明によれば、拡散孔は光軸方向において光源から遠ざかるに従い、孔間隔が疎から密となっている構成としたので、光源から遠くでは拡散孔の孔間隔を密になり拡散状態を助長させる。これにより、光源の遠くでも近い位置と比べて大差なく均一化した放射光を簡単な方法により発光面から発することができる。
【００２１】
光源にはＬＥＤ光源を用いれば、消費電力を抑えたエコな照明装置とすることができる。
【００２２】
また、このような構成の照明装置をベッド装置に適用すれば、光源から発せられる光を従来よりも効率良く安価な方法で発光面へと導く構成を採用したベッド装置を提供することができる。この場合、導光部材の表面（意匠面）には溝加工等は必要なく、見栄えの良い照明装置、照明装置を備えたベッド装置を提供することができる。
【００２３】
拡散孔が設けられた導光部材は、ベッド本体を構成するヘッドボードまたはベースボードに設けられる構成にすれば、使用者が就寝前にベッド上で読書をしたり、夜間にベッドから離れる際、暗い寝室で使用者の足元をスポット的に照らす足元照明が安価で効率良い照明装置をヘッドボードまたはベースボードに一体で設けることができる。
【発明を実施するための最良の形態】
【００２４】
本発明の実施形態について、図面に基づいて詳細に説明する。
【００２５】
図１、図２は本発明の照明装置１の構成を示している。図１は照明装置１の正面図であり、図２は導光部材２に形成される複数の拡散孔６が設けられる位置を示す図１の下視図である。
【００２６】
図１に示す照明装置１は、主として光を発する光源（例えば、ＬＥＤ）５、内部で光を導く導光部材２、導光部材内部へと光を反射させる反射板３、導光部材２を保持する保持部材４とを備える。
【００２７】
光源は、本実施形態において省電力のＬＥＤ５を使用している。図１では白色のＬＥＤ５を１つ例示のために示しているが、ＬＥＤ５の個数や発光するときの色はこれに限定されず、光量が必要な場合には複数のＬＥＤ５を図１に示すｚ方向で直線状に並べたり、若しくは、ＬＥＤ５をマトリックス状に設けたりすることも可能である。また、色に関しては白色以外のＬＥＤを単体もしくは異なった色のＬＥＤの光を組み合わせることも可能である。
【００２８】
導光部材２は、直方体形状を呈する透明部材もしくは半透明部材で構成される。図１に示す左側の端面には、ＬＥＤ５から発せられる光を入射する平面状の入射面２１が形成されていると共に、内部を光が反射し拡散した光を放射して周囲を照らす発光面２２を図１に示す下方に備える。導光部材２は、例えば、樹脂を使用しアクリル等の加工し易く、透光性の良い材質を用いている。導光部材２には発光面２２に対し、図１の板厚、即ち、ｙ方向の中心をｘ方向に向けて光軸Ｘが通過するようになっている。光軸Ｘに対して垂直方向となるｙ方向に光軸Ｘから所定距離オフセットされた距離（最短距離）ｈの位置、且つ光軸Ｘ方向において等間隔Ｌとなる位置（拡散孔６の孔中心となる位置）にドリル等により所定の孔径の孔加工が施されている。ここで、孔径は導光部材２の板厚に応じて自由に設定が可能あり、ここでは孔径を均しくしているが、異なる孔径であっても良い。このように孔加工された孔は、導光部材内部で光を拡散させる機能を有することから、ここでは拡散孔６と称す。また、拡散孔の形状はここでは加工のし易さから単なる円形孔としているが、これに限定されるものではなく、三角や四角の多角形状とすることも可能である。また、複数の拡散孔６は、図２に示すように、導光部材２のｚ方向において貫通孔としているが、必ずしもこれに限定されるものではなく、ｚ方向の途中の所定位置（例えば、半分の位置）まで孔が施されていれば良く、状況に応じて適宜必要な光量との兼ね合いで調節することが可能である。図１においては、拡散孔６を一例として８個形成している。この拡散孔６１〜６８は、図１における具体的な位置を示し、具体的な位置を示さない拡散孔については、単に拡散孔６と称す。
【００２９】
反射板３は、比較的高い反射率の金属材料またはシルク印刷にて導光部材２上に設けられ、導光部材２の発光面２２以外の周囲の面（例えば、入射面２１に入射した入射光を、導光部材内部で光を導く過程において、発光面２２以外から拡散光を外へと漏らさないようにする発光面２２の周囲の端面等）に、導光部材２と一体で設けられる。図１においては、反射板３が発光面２２とは反対側の一面に設けられる状態を示している。発光面２２に対して反射板３を導光部材２のどの面に設けるかは、入射面２１から入射した光をどの様に発光面２２へと導くかにより設定することができる。
【００３０】
保持部材４は、金属または樹脂で構成されたホルダーで断面コ字状を呈し、内部の底部４２に設けられるＬＥＤ５と導光部材２の入射面２１との距離が一定となるよう保持するものである。この場合、導光部材２はｙ方向において両側から反射板３と一体となった導光部材２が保持部４３により保持される。保持した状態では保持部４３のｘ方向における略中間位置に入射面２１が位置するよう設定されている。底部４２のｙ方向の中央にはＬＥＤ５の配線４４が通る孔が形成されている。ＬＥＤ５は底部４２に対して基板４１上に実装され、図示しない孔を介して挿通される被覆された配線４４により、外部より電力供給が可能である。基板４１は、底部４２のｙ方向における中央に固定され、取り付け状態では導光部材２の板厚の中央を光軸Ｘが通過するようＬＥＤ５が設置されている。また、保持部４３は導光部材２および反射板３をｙ方向の両側から挟持するようにコ字状を呈しているが、この形状に限定されず、例えば、内部の凹部状となった箇所に鏡面加工を施し、ＬＥＤ５から発した光を入射面２１へと鏡面にて反射させるリフレクター機能を備えた筐体であっても良い。
【００３１】
上述した構成のように、本実施形態では導光部材２の光軸Ｘが通るｘ方向に複数の拡散孔６を形成している。例えば、複数の拡散孔６のうち、いずれの拡散孔６の孔中心が光軸Ｘと同軸に位置するようにしてしまうと、ＬＥＤ５から発せられた光の中で最初に通過する拡散孔６の孔中心を通過して屈折しなかった光は、その次（第２の拡散孔６）の拡散孔６に到達しても屈折しない。このため、同軸に拡散孔６の中心を並べてしまうと、拡散効率が良くないものとなってしまう。そこで、本発明では光軸Ｘに対して垂直なｙ方向において、図１に示すようにオフセットさせ、入射面２１に最も近い１番目、２番目、３番目、・・の拡散孔６に対して上下交互に配置して、それぞれ光軸Ｘに対してオフセット量ｈを上下持たせることにより拡散がより助長され、より効率的に発光面２２からの発光が可能となる。その様子を具体的に説明したのが図３である。
【００３２】
図３は、導光部材２に形成された複数の拡散孔６により、入射面２１に入射した入射光がどのように拡散するのかを模式的に示す説明図である。
【００３３】
図３に示されるＬＥＤ５の組み付け状態において、ＬＥＤ５に対して配線４４を介し、外部から電源を供給すると、ＬＥＤ５は所定電圧が印加されて発光する。保持部材４の底部４２に固定されたＬＥＤ５から発せられた光は光軸Ｘを中心として、一定の角度の広がりを持って入射面２１から導光部材２の内部へと入射する。入射光は光路において、途中、屈折率を変化させる障害物等（屈折率が変化するような異なる部材、空間、孔等）が何もないと、導光部材内を直進するが、本実施形態では入射光の光路途中に拡散孔６が複数形成されている。図３において、入射面２１から最も近い拡散孔６、即ち、図３に示す拡散孔６１に到達すると、拡散孔６１として形成された孔は擬似的に凹レンズと等価となり、孔の外（導光部材２のアクリル樹脂で成り立っている部位での屈折率）と孔の中（導光部材２の拡散孔内部の部位での空気の屈折率）で屈折率が孔の境界（外周）で変化することから、光の屈折が発生する。この場合、即ち、順次、拡散孔６１、６２、６３、・・・に示される拡散孔６によって屈折した光を屈折光７（図３においては、７１〜７３）とする。例えば、屈折光７１のように反射板３に対して反対方向に屈折した光はそのまま発光面２３よリ拡散光として放射される。また、同時に屈折光７２や７３のように反射板側へと屈折した光は導光部材２に密着して設けられた高い屈折率（例えば、これに限定されないが、鏡面または鏡面に近い屈折率）の反射板２２により反射（ここでは、例えば、全反射）された後、発光面２３より拡散光として放射される、或いは、次の拡散孔（入射面２１に対して２番目に位置する拡散孔）６２に到達し、拡散孔６２の孔の境界で再び前述した拡散孔６１のような屈折を再び起こす。このような光の拡散が、導光部材内部で順次連続的に反射および拡散が繰り返し発生することにより、光が放射される発光面２２の全体から光の照射が可能となり、発光面２２の前方周囲を明るく照らすことができる。ここでは、導光部材内部で反射/拡散される光を、総称して拡散光とここでは称する。
【００３４】
本実施形態では、図３において全ての拡散孔６（６１、６２、６３）を円弧状の孔としているが、拡散孔６の孔形状は円弧状のものに限られるものではなお。例えば、上記したように三角形のような直線から構成される孔形状であっても、光軸方向に複数配設させれば、個々が１つのプリズムとなり、連続プリズムとして同様の拡散による効果を得ることができる。
【００３５】
また、拡散孔６は、光軸Ｘからｙ方向において距離ｈだけオフセットした位置に孔中心がくるように形成されているが、オフセット量（距離ｈ）を個々に設定することもできる。例えば、入射面２１に近い拡散孔６１から遠くに位置する拡散孔６３にいくに従い、異なる距離を採用して、例えば、近くの拡散孔６１からオフセット量を次第に大きくあるいは小さくなるようそれぞれ変えて、ｈ１、ｈ２、ｈ３、・・・と順次することができる。また、光軸Ｘに対して、図３に示すように拡散孔６１では孔中心が下方にオフセット（距離ｈだけ下方に位置）し、次の拡散孔６２では孔中心が上方にオフセット（距離ｈだけ上方に位置）している一例を図３で示すが、これに限定されるものではない。例えば、拡散孔６のそれぞれの上下方向へのオフセットは、上方へのオフセットが複数段（複数個）続き、その後、下方へのオフセットが複数段続く構成とすることも可能である。しかしながら、図３のように上下交互に拡散孔６の位置をオフセットさせた方が、導光部材２内部での光伝達効率は良くなり、高範囲まで光を導くことが可能である。
【００３６】
図４は、本発明の照明装置１をベッド装置８への適用例を示し、本発明の照明装置１をベッド本体８０における頭側のヘッドボード８２に適用したベッド装置８の正面図である。また、図５は、図４のベッド装置８をヘッドボート８２とは反対側から見た側面図である。
【００３７】
図４に示すようにベッド装置８は、ベッド本体８０に、使用者が横たわって就寝するマットレス８１が載置される。ベッド本体８０は、主としてベースの骨格と成る長方形状を成す木製または鉄製のベースボード８３と、上記した本発明の照明装置１がマットレス側に埋設され取り付けられたヘッドボード８２と、表面に弾力性を有し、使用者が就寝時に横になるマットレス８１と、を備える。
【００３８】
ヘッドボード８３には頭部側の上方に凹部８５が形成され、凹部８５に上述した照明装置１が配設されている。取り付け状態において、木製のヘッドボード８２の平坦な意匠面８６と周囲の照明を行う発光面２２と段差なく面一となるよう照明装置１が埋設され、ＬＥＤ５と導光部材２との位置関係を保持する保持部材４が意匠面から見えないようにヘッドボード８２の中に隠すと、意匠性の面で見栄えが良くなる。この場合、照明装置１の光を発するＬＥＤ５は光量をアップさせるため、保持部材４の底部４２にマトリックス状に複数個設けられていると良く、複数の拡散孔６が形成された導光部材２はｘ方向水平に設けられ、ｘ方向の光軸Ｘに対して上下交互にオフセットされた位置に拡散孔６が形成されている。
【００３９】
本実施形態のように、ヘッドボード８２に対して本発明の照明装置１を取着した場合、横になった使用者９の頭部を中心に照らすヘッドランプとなり、夜間でも就寝時に使用者９は横たわりながら読書をすることなどが可能となる。一方、ヘッドボード８２の下方やマットレス８１を載置するベースボード８３の下方に本発明の照明装置１を取着した場合、照明装置１は足元灯となり、使用者９が夜間に起きてベッド離れる際、暗くなった足元を拡散光により照らして、使用者９が安全に歩けるようになる手助けとなる。
【００４０】
上記した照明装置１は、以下に示すような構成を採用しても良い。即ち、図１における拡散孔の配置を変えた変形例を図６に示す。
【００４１】
一般的には、光源であるＬＥＤ５から発せられた光は入射面２１から遠ざかるにつれて反射板３および拡散孔６によって反射/拡散を繰り返しながら導光部材内部を進み減衰する。即ち、発光面２２から周辺に照射される光は、入射面２１から遠ざかるほど照度が暗くなってしまうことが起こり得る。そこで、図１では複数形成された拡散孔６において、隣り合う拡散孔同士の孔間隔を距離Ｌで等距離にしていたが、図６の変形例に示すように隣り合う拡散孔６（６１〜６８）の孔中心の孔間隔をＬＥＤ５からの光が入射する入射面２１から遠ざかるに従い、孔間隔をそれぞれ距離Ｌ１,Ｌ２,・・・,Ｌ７として順次短くなるよう、孔間隔を疎から密となるように配置することも可能である。この様な構成にすれば、孔間隔が密である領域（図６の右側の領域）は導光部材内部で拡散が助長され、発光面２２から入射面２１側の発光面２２と照度差が殆どない均一化された明るい光が照射される。
【００４２】
このようにして拡散孔６の加工を行う孔間隔や孔の大小によって拡散度合いを設定し、発光面２２から放射される光量を決めることが可能である。このため、発光面２２から放射させる光束量を変えることにより、所定の輝度を作ることができ、結果的にＬＥＤ５の電流制御なく、ＬＥＤ５で発せられた光が入射する入射面２１から遠い位置（図６の右側）でも近い位置（図６の左側）と大差なく、発光面全体を安価な方法で均一に発光させることが可能となる。
【００４３】
本発明によれば、導光部材２には複数の拡散光が拡散孔によって形成されるが、拡散光は従来の溝加工のように、高価なプロッターやレーザー装置といった大型設備等は必要ない。拡散孔６の形成には、導光部材２の例えば一面からドリル等を用いて単に孔加工を施せば良いため、従来に比べコストアップすることはない。しかも、孔開けという安価な方法により可能である。
【００４４】
このように形成された拡散孔は、光源の光軸Ｘに対して等距離（光軸の垂直方向で、それぞれの拡散孔と光軸までの最短距離が等距離）ｈの位置に形成したり、光軸方向において等間隔Ｌに形成されていると、光軸に対して複数の拡散孔の中心をそれぞれどのような位置に設けるかにより、効率良く発光面からの明るさを調整することができる。この場合、孔径に対する孔間隔を相関をもって変更することもできる。
【図面の簡単な説明】
【００４５】
【図１】本発明の実施形態における照明装置の構成を示す側面図である。
【図２】図１に示す照明装置の下視図である。
【図３】図１に示す導光部材の中を光源からの光が拡散する状態を示す説明図である。
【図４】本発明の照明装置をベッド装置に適用した正面図である。
【図５】図４に示すベッド装置のヘッドボードとは反対側の側面図である。
【図６】図１の変形例であり、光源から遠ざかるに従い孔間隔が疎から密になっている拡散孔が形成された状態を示す説明図である。
【符号の説明】
【００４６】
１    照明装置
２    導光部材
３    反射板
４    保持部材
５    ＬＥＤ（光源）
６（６１〜６８）    拡散孔
８    ベッド装置
２１  入射面
２２  発光面
４４  配線
７１,７２,７３  屈折光（拡散光）
８０  ベッド本体
８１  マットレス
８２  ヘッドボード
８３  ベースボード
Ｘ    光軸
【図１】
2014053253.tif 000003
【図２】
2014053253.tif 000004
【図３】
2014053253.tif 000005
【図４】
2014053253.tif 000006
【図５】
2014053253.tif 000007
【図６】
2014053253.tif 000008